(57)【特許請求の範囲】
【請求項１】
放送受信機能を備える放送受信装置であって、
放送受信機能を起動すると、前回の放送受信機能の起動において、最後に選局していたチャンネルを選局するとともに、当該チャンネルを特定チャンネルの初期値として設定する手段と、
前記初期値の設定後、最初に特定の選局操作がなされた場合に、前記初期値として設定されている特定チャンネルの選局を行うとともに、該特定の選局操作がなされた時点に選局していた選局中チャンネルを新たな特定チャンネルとして設定する制御手段と、
を備える放送受信装置。
【請求項２】
放送受信装置の放送受信機能を起動すると、該放送受信装置が前回の放送受信機能の起動において、最後に選局していたチャンネルを選局するとともに、当該チャンネルを特定チャンネルの初期値として設定し、
前記初期値の設定後、最初にユーザにより特定の選局操作がなされた場合に、前記放送受信装置が、前記初期値として設定されている特定チャンネルの選局を行うとともに、該特定の選局操作がなされた時点に選局していた選局中チャンネルを新たな特定チャンネルとして設定することを特徴とする放送受信方法。
【発明の詳細な説明】
【技術分野】
【０００１】
本発明は、ユーザの操作に応じて放送を受信する放送受信装置及び放送受信方法に関する。
【背景技術】
【０００２】
テレビ放送受信の機能を有する携帯端末において、複数のチャンネルの中からユーザが視聴したいチャンネルを選局するため、チャンネルを直接指定する数字キーや、所定の順序に従って順方向または逆方向にチャンネルを順次選局するためのアップ・ダウンキー等が設けられている。
【０００３】
また、放送受信装置には、チャンネル選局を簡単にする手法として頻繁に視聴するチャンネルの番号が視聴チャンネルテーブルに自動的に登録され、簡単な操作によってそのチャンネルテーブルに登録されたチャンネルの範囲内で選局を可能としたもの（特許文献１参照）、受信回数が予め定められた回数以上と判別されたチャンネルのチャンネルデータや、受信時間が予め定められた時間以上と判別されたチャンネルデータを記憶手段に記憶させ、これらチャンネルデータに基づいて視聴頻度の高いチャンネルに限定した選局を可能とするもの（特許文献２参照）、ユーザの操作によって所定の番組がロック状態に設定された場合に、その番組の放送中においては、チューナがその番組のチャンネルの信号を抽出しないようにしたもの（特許文献３参照）等がある。
【０００４】
ところで、ユーザは、視聴中のチャンネルにおいてＣＭ等が始まった場合に、一時的に他チャンネルの視聴を行い（所謂、ザッピング）、その後、再び元のチャンネルを視聴するという視聴方法や、同一時間に視聴したいチャンネルが２つ存在する場合に、それぞれのチャンネルを交互に視聴するといった視聴方法を一般的にとることが多い。
【特許文献１】特開平１１−３５５６７５号公報
【特許文献２】特開２０００−１２５２１７号公報
【特許文献３】特開２００１−３０９２５３号公報
【発明の開示】
【発明が解決しようとする課題】
【０００５】
しかしながら、上述した元のチャンネルの視聴に戻ったり、２つの番組を交互に視聴する際に以下のような問題が生じる。すなわち、ユーザは、チャンネルを直接指定する数字キーを用いてチャンネルの選局を行う場合には、元のチャンネルに対応する数字を記憶しておかなければならない。また、アップ・ダウンキーを用いてチャンネルを順次選局する場合には、目的のチャンネルが選局されるまで、視聴する必要のない余分なチャンネルも順次選局させる操作を行う必要があり、操作数が増え、時間もかかる。
【０００６】
また、特許文献１に記載の技術では、ユーザは、視聴チャンネルテーブルに登録されたチャンネル番号のリストから選択する操作を行わなければならず、煩雑である。また、特許文献２に記載の技術では、視聴頻度の高いチャンネルを判別するための基準が動的に変化してしまい、必ずしもユーザが視聴を所望するチャンネルのみが選択されない。更に、特許文献３に記載の技術では、ロック状態に設定するための操作が非常に煩雑である。
【０００７】
本発明は、上述したような問題点を解決するためになされたものであり、本発明の目的は、ユーザの操作性を向上させた放送受信装置および放送受信方法を提供することにある。
【課題を解決するための手段】
【０００８】
本発明は、放送受信機能を備える放送受信装置であって、放送受信機能を起動すると、前回の放送受信機能の起動において、最後に選局していたチャンネルを選局するとともに、当該チャンネルを特定チャンネルの初期値として設定する手段と、前記初期値の設定後、最初に特定の選局操作がなされた場合に、前記初期値として設定されている特定チャンネルの選局を行うとともに、該特定の選局操作がなされた時点に選局していた選局中チャンネルを新たな特定チャンネルとして設定する制御手段と、を備える。
【０００９】
この構成により、ユーザが一度選局したチャンネルのうち特定のチャンネルの情報が保存される。そして、該特定のチャンネルが選局された場合には、それまで選局されていた選局中チャンネルの情報が新たな特定のチャンネルの情報として保存されるため、視聴中のチャンネルにおいてＣＭ等が始まった場合に、一時的に他チャンネルの視聴を行い、その後、再び元のチャンネルを視聴する場合や、同一時間に２つのチャンネルを交互に視聴することを簡易に行うことができ、操作性の向上が図られる。
【００１０】
また、前記制御手段は、選局されている選局中チャンネルが前記保存手段に保存されている特定のチャンネルと異なる場合、選局中チャンネルの情報を新たな特定チャンネル情報として前記保存手段に保存するようにしてもよい。
【００１１】
この構成により、ユーザが注目チャンネル以外の一般のチャンネルを視聴したい場合にも、それまで選局されていた選局中チャンネルの情報が新たな特定のチャンネルの情報として保存されるため、上述と同様、操作性の向上が図られる。
【００１２】
また、前記制御手段は、ダイレクト選局がなされた場合に、選局していたチャンネルを特定チャンネルとして前記保存手段に保存してもよい。
【００１３】
また、前記制御手段は、特定チャンネルを選局操作する操作手段に対して予め定められた所定の操作がなされた場合に、その時点で選局されている選局中チャンネルの情報を新たな特定チャンネル情報として前記保存手段に保存させてもよい。
【００１４】
この構成により、操作手段に対する操作の違いによって異なる制御が可能となる。
【００１５】
また、前記予め定められた所定の操作は、前記操作手段を構成する操作キーが所定時間以上押下される操作であってよい。
【００１６】
また、前記操作手段は、各チャンネルを順方向に選局するための順方向操作キーと、逆方向に選局するための逆方向操作キーとの近傍に配置されてもよい。
【００１７】
この構成により、一般に操作頻度の高い順方向操作キーと逆方向操作キーの近傍に、操作手段を配置して、特定のチャンネルの選択時の操作性を更に向上させることができる。
【００１８】
また、本発明は、放送受信方法であって、放送受信装置の放送受信機能を起動すると、該放送受信装置が前回の放送受信機能の起動時において、最後に選局していたチャンネルを選局するとともに、当該チャンネルを特定チャンネルの初期値として設定し、前記初期値の設定後、最初にユーザにより特定の選局操作がなされた場合に、前記放送受信装置が、前記初期値として設定されている特定チャンネルの選局を行うとともに、該特定の選局操作がなされた時点に選局していた選局中チャンネルを新たな特定チャンネルとして設定する。
【発明の効果】
【００１９】
本発明によれば、ユーザが再度選局したいチャンネルの情報が保存され、簡易な操作によりその再選局したいチャンネルへの選局が容易に可能となる。また、ユーザの選局操作に応じて再選局チャンネルが適切に設定され、操作性の向上が図られる。
【発明を実施するための最良の形態】
【００２０】
図１は、本発明に係る放送受信装置の一実施例である放送受信機能付き携帯端末の構成を示す図であり、図２は、外観斜視図である。図１及び図２における放送受信機能付き携帯端末１０（以下、適宜「携帯端末１０」と称する）は、上部筐体５０と下部筐体６０とを接合した折り畳み式の構造を有しており、制御部１２、放送受信部１４、ディスプレイ部１６、スピーカ部１８、操作部２０、メモリ部２２により構成される。尚、携帯電話機能のための無線部等は省略している。
【００２１】
制御部１２は、所定のプログラムの実行及びユーザによる操作部２０の操作に従って、携帯端末１０の各部を制御する。放送受信部１４は、外部の放送局２００からの放送波を受信して、この放送波から映像や音声を抽出する。ディスプレイ部１６は、上部筐体５０に配置され、放送受信部１４により抽出された映像の出力を行う。スピーカ部１８は、上部筐体５０に配置され、放送受信部１４により抽出された音声の出力を行う。
尚、ユーザがザッピング選局や他のチャンネルへの選局を行った後に一度選局していたチャンネルのうち元々注目していた（視聴していた）チャンネルを再度選局して（戻って）視聴したい場合がある。このザッピング選局や他のチャンネルへの選局を行う前に、注目していた（元々視聴していた）チャンネルを以下「注目チャンネル」又は「特定チャンネル」と呼ぶ。
【００２２】
操作部２０は、ユーザが携帯端末１０に対して電源のオン、オフ、放送受信機能の起動、チャンネルの選局、音量調節等を指示する際に操作されるものである。この操作部２０は、リモコン番号選局操作部３１、アップ・ダウン選局操作部３２、注目チャンネル選局操作部３３を有しており、いずれも下部筐体６０に配置される。
【００２３】
リモコン番号選局操作部３１は、ユーザがチャンネルを直接に選局する際に操作されるものであり、各放送チャンネルに対応する数字キーを備える。アップ・ダウン選局操作部３２は、各チャンネルを順方向に順次選局するための順方向操作キー３４と、逆方向に順次選局するための逆方向操作キー３５とを備える。このアップ・ダウン選局操作部３２は、一般に操作頻度が高い。このため、ユーザが操作しやすいように下部筐体６０の操作し易い場所（例えば装置中央）に配置される。注目チャンネル選局の操作部３３は、ユーザが再度選局すると思われるチャンネルである注目チャンネルを選局するための操作キーを備えており、ユーザが操作しやすいように、下部筐体６０におけるアップ・ダウン選局操作部３２の順方向に選局するための順方向操作キー３４と、逆方向に選局するための逆方向操作キー３５との間に配置される。
【００２４】
メモリ部２２は、携帯端末１０を制御するための各種プログラムや選局に必要な各種情報等を保存する。このメモリ部２２は、注目チャンネル情報保存部４１と、チャンネル情報一時保存部４２とにより構成される。
【００２５】
注目チャンネル情報保存部４１は、１チャンネル分の注目チャンネルの情報（注目チャンネル情報）を保存する。チャンネル情報一時保存部４２は、現在選局中のチャンネルの情報（選局中チャンネル情報）を一時的に保存する。
【００２６】
以下、フローチャートを参照しつつ、携帯端末１０の動作を説明する。図３は、携帯端末１０の動作を示すフローチャートである。
【００２７】
ユーザによる操作部２０の操作によって、例えばテレビ放送受信機能の起動が指示されると、制御部１２は、この指示に従ってテレビ放送受信機能を起動し（Ｓ１０１）、前回のテレビ放送受信機能の起動において、最後に選局していたチャンネルの情報を不揮発性のメモリであるラストメモリ（図示せず）から読み出し、このチャンネル情報に基づいて選局を行う（Ｓ１０２）。更に、制御部１２は、ラストメモリから読み出したチャンネル情報を注目チャンネル情報の初期値として、注目チャンネル情報保存部４１に保存させる（Ｓ１０３）。このような動作によって、携帯端末１０は、テレビ放送の視聴状態となる（Ｓ１０４）。
【００２８】
なお、テレビ放送受信機能の初回起動時には、制御部１２は、選局可能なチャンネルのうち、最も小さいリモコン番号に対応するチャンネルを選局し、そのチャンネルの情報を注目チャンネル情報の初期値として、注目チャンネル情報保存部４１に保存させるようにしてもよい。また、注目チャンネル情報保存部４１が不揮発性メモリとして管理する場合には、制御部１２は、ラストメモリから読み出したチャンネル情報を注目チャンネル情報の初期値として、注目チャンネル情報保存部４１に保存させる動作を行わなくても良い。また、選局可能なチャンネルが過去の視聴時間の履歴等によってランク付けされている場合には、制御部１２は、そのチャンネルの情報に基づいて例えば最も頻繁に視聴しているチャンネルを注目チャンネル情報の初期値としてもよい。
【００２９】
次に、制御部１２は、ユーザによってリモコン番号選局操作部３１が操作されたか否かを判定する（Ｓ１０５）。リモコン番号選局操作部３１が操作された場合、制御部１２は、現在選局中のチャンネルの情報を、新たな注目チャンネル情報として注目チャンネル情報保存部４１に上書き保存させる（Ｓ１０６）。更に、制御部１２は、リモコン番号選局操作部３１において操作された番号キーのリモコン番号に対応するチャンネルの選局を行う（Ｓ１０７）。その後は、再び視聴状態（Ｓ１０４）となる。ここで、「リモコン番号」とはダイレクトにチャンネル選局を行うダイレクト選局を示している。
【００３０】
また、制御部１２は、ユーザによってアップ・ダウン選局操作部３２が操作されたか否かを判定する（Ｓ１０８）。アップ・ダウン選局操作部３２が操作された場合、制御部１２は、注目チャンネル情報保存部４１に保存された注目チャンネル情報を上書きすることなく、操作に応じたチャンネルの選局を行う（Ｓ１０９）。その後は、再び視聴状態（Ｓ１０４）となる。
【００３１】
また、制御部１２は、ユーザによって注目チャンネル選局操作部３３が所定時間より短い時間押下（短押し操作）されたか否かを判定する（Ｓ１１０）。注目チャンネル選局操作部３３に対して短押し操作がなされた場合、制御部１２は、現在選局中のチャンネルの情報を、チャンネル情報一時保存部４２に保存させる（Ｓ１１１）。次に、制御部１２は、注目チャンネル情報保存部４１に保存された注目チャンネル情報を読み出し、当該注目チャンネル情報に基づいて選局を行う（Ｓ１１２）。更に、制御部１２は、チャンネル情報一時保存部４２に保存させた選局中チャンネル情報を、新たな注目チャンネル情報として注目チャンネル情報保存部４１に上書き保存させる（Ｓ１１３）。その後は、再び視聴状態（Ｓ１０４）となる。
【００３２】
また、制御部１２は、ユーザによって注目チャンネル選局操作部３３が所定時間以上押下（長押し操作）されたか否かを判定する（Ｓ１１４）。注目チャンネル選局操作部３３に対して長押し操作がなされた場合、制御部１２は、現在選局中のチャンネルの情報を、新たな注目チャンネル情報として注目チャンネル情報保存部４１に上書き保存させる（Ｓ１１５）。その後は、再び視聴状態（Ｓ１０４）となる。また、注目チャンネル選局操作部３３に対して長押し操作がなされていない場合も、再び視聴状態（Ｓ１０４）となる。
【００３３】
図４は、ユーザによるリモコン番号選局操作部３１、アップ・ダウン選局操作部３２、注目チャンネル選局操作部３３の操作に応じた画面遷移の一例を示す図である。画面２０１乃至２０９における右上には選局中のチャンネルの番号の画像が含まれ、下部中央には注目チャンネルの番号の画像が含まれている。
【００３４】
テレビ放送受信機能が起動されると、前回のテレビ放送受信機能の起動において、最後に選局していた第４チャンネルが注目チャンネルとして設定されるとともに、第４チャンネルが受信されて第４チャンネルの画面２０１が表示される。この状態で、リモコン番号選局操作部３１が操作され、第９チャンネルの選局が指示されると第４チャンネルの画面２０１から第９チャンネルの画面２０２に切り替わる。また、第４チャンネルの画面２０１が表示された状態で、アップ・ダウン選局操作部３２に対するアップ選局操作が４回なされると、第４チャンネルの画面２０１から第８チャンネルの画面２０３に切り替わり、更にダウン選局操作が４回なされると、再び第８チャンネルの画面２０３から第４チャンネルの画面２０１に切り替わる。また、第４チャンネルの画面２０１が表示された状態で、アップ・ダウン選局操作部３２に対するダウン選局操作が３回なされると、第４チャンネルの画面２０１から第１チャンネルの画面２０４に切り替わり、更にアップ選局操作が３回なされると、再び第１チャンネルの画面２０４から第４チャンネルの画面２０１に切り替わる。
【００３５】
また、第８チャンネルの画面２０３が表示された状態で、注目チャンネル選局操作部３３に対する短押し操作がなされると、その時点の注目チャンネルである第４チャンネルの画面２０７に切り替わるとともに、新たな注目チャンネルとして第８チャンネルが設定される。更に、第４チャンネルの画面２０７が表示された状態で注目チャンネル選局操作部３３に対する短押し操作がなされると、その時点の注目チャンネルである第８チャンネルの画面２０３に切り替わるとともに、新たな注目チャンネルとして第４チャンネルが設定される。
【００３６】
同様に、第１チャンネルの画面２０４が表示された状態で、注目チャンネル選局操作部３３に対する短押し操作がなされると、その時点の注目チャンネルである第４チャンネルの画面２０８に切り替わるとともに、新たな注目チャンネルとして第１チャンネルが設定される。更に、第４チャンネルの画面２０８が表示された状態で注目チャンネル選局操作部３３に対する短押し操作がなされると、その時点の注目チャンネルである第１チャンネルの画面２０４に切り替わるとともに、新たな注目チャンネルとして第４チャンネルが設定される。
【００３７】
また、第９チャンネルの画面２０２が表示された状態で、リモコン番号選局操作部３１が操作され、第５チャンネルの選局が指示されると、現在選局されている第９チャンネルが新たな注目チャンネルとして設定され、第５チャンネルの画面２０５に切り替わる。また、第９チャンネルの画面２０２が表示された状態で注目チャンネル選局操作部３３に対する長押し操作がなされると、その時点の選局中チャンネルである第９チャンネルが新たな注目チャンネルとして設定され、第９チャンネルの画面２０６に切り替わる。
【００３８】
また、第５チャンネルの画面２０５が表示された状態で、注目チャンネル選局操作部３３に対する短押し操作がなされると、その時点の注目チャンネルである第９チャンネルの画面２０９に切り替わるとともに、新たな注目チャンネルとして第５チャンネルが設定される。更に、第９チャンネルの画面２０９が表示された状態で注目チャンネル選局操作部３３に対する短押し操作がなされると、その時点の注目チャンネルである第５チャンネルの画面２０５に切り替わるとともに、新たな注目チャンネルとして第９チャンネルが設定される。
【００３９】
このように、携帯端末１０では、制御部１２は、ユーザが注目している（再選局したい）チャンネルの情報を注目チャンネル情報保存部４１に保存させており、その後、ユーザが注目チャンネル選局操作部３３に対する短押し操作を行うだけで、制御部１２によって注目チャンネル情報に基づく注目チャンネル（特定チャンネル）の選局が行われる（再選局される）。また、注目チャンネル（特定チャンネル）が選局される場合には、制御部１２は、それまで選局されていた選局中チャンネルの情報を新たな注目チャンネル（特定チャンネル）の情報として注目チャンネル情報保存部４１に保存させるため、ユーザが視聴中のチャンネルにおいてＣＭ等が始まった場合に、一時的に他チャンネルの視聴を行い、その後、再び元のチャンネルを視聴する場合や、同一時間に２つのチャンネルを交互に視聴することを簡易に行うことができ、操作性の向上が図られる。また、ユーザが注目チャンネル（特定チャンネル）以外の異なるチャンネルを所定時間以上視聴していた場合にも、上述と同様、その時点で選局されている選局中チャンネルの情報が新たな注目チャンネル（特定チャンネル）として保存して、操作性の向上が図っても良い。
【００４０】
なお、上述した実施形態では、テレビ放送受信機能付の携帯端末１０について説明したが、一般の放送受信装置においても、同様に本発明を適用することができる。また、上述した実施形態では、メモリ部２２に注目チャンネル情報保存部４１とチャンネル情報一時保存部４２とが構成されたが、これらは別々のメモリに構成されてもよい。また、リモコンによりチャンネル選局を行うことが出来る装置の場合、リモコンに上述のメモリを備えた構成にしても良い。
また、図３のフローチャートは一実施例を示すものであり、Ｓ１０５，Ｓ１０８，Ｓ１１０，Ｓ１１４のいずれかの操作が行われると、該操作に対応する上記処理を行うプログラムであっても良いことは言うまでもない。
また、放送もテレビジョン放送、ラジオ放送、衛星放送、携帯用放送などに限定するものではない。
【産業上の利用可能性】
【００４１】
以上、説明したように、本発明に係る放送受信装置及び放送受信方法は、操作性を向上させることができ、放送受信装置及び放送受信方法として有用である。
【図面の簡単な説明】
【００４２】
【図１】テレビ放送受信機能付き携帯端末の構成図である。
【図２】テレビ放送受信機能付き携帯端末の外観斜視図である。
【図３】テレビ放送受信機能付き携帯端末の動作を示すフローチャートである。
【図４】画面遷移の一例を示す図である。
【符号の説明】
【００４３】
１０  テレビ放送受信機能付き携帯端末、１２  制御部、１４  放送受信部、１６  ディスプレイ部、１８  スピーカ部、２０  操作部、２２  メモリ部、３１  リモコン番号選局操作部、３２  アップ・ダウン選局操作部、３３  注目チャンネル選局操作部、３４  順方向操作キー、３５  逆方向操作キー、４１  注目チャンネル情報保存部、４２  チャンネル情報一時保存部、５０  上部筐体、６０  下部筐体。
【図１】
0004763408.tif 000002
【図２】
0004763408.tif 000003
【図３】
0004763408.tif 000004
【図４】
0004763408.tif 000005